(57)【要約】【課題】商品ホルダ１において、組み立てが容易で、商品２を安定して保持できるようにする。【解決手段】商品ホルダ１は、垂壁板３の下側に、商品２を露呈した状態で保持するための保持枠４が前に張り出すように設けられる。垂壁板３は、一枚の短冊状の板紙１００が長手方向の所定位置を屈曲起点５として２枚に折り重ねられるとともに前板部６と後板部７とがそれらの自由端側の所定位置で貼着されたものとされる。保持枠４は、前板部６の非貼着部位と後板部７の非貼着部位とが互いに引き離されるように複数ヶ所で折り曲げられることにより、少なくとも商品嵌め入れ用の上開口４ｅを有する傾斜天面４ａと底面４ｂと後面４ｃとで囲むように立体化されたものとされる。屈曲起点５が底面４ｂに配置されるように、前板部６の非貼着部位から傾斜天面４ａと前方底面部４ｂ１とが画定されているとともに、後板部７の非貼着部位から後面４ｃと後方底面部４ｂ２とが画定されている。【選択図】図１
2018099268.tif 000002
【特許請求の範囲】
【請求項１】
一枚の短冊状の板紙から形成される商品ホルダであって、
垂壁板の下側に、商品を露呈した状態で保持するための保持枠が前に張り出すように設けられており、
前記垂壁板は、前記板紙が長手方向の所定位置を屈曲起点として２枚に折り重ねられるとともに当該折り重ねにより得られる前板部と後板部とがそれらの自由端側の所定部位で貼着されたものとされ、
前記保持枠は、前記前板部の非貼着部位と前記後板部の非貼着部位とが互いに引き離されるように複数ヶ所で折り曲げられることにより、少なくとも商品嵌め入れ用の上開口を有する傾斜天面と底面と後面とで囲むように立体化されたものとされ、
前記屈曲起点が前記底面に配置されるように、前記前板部の非貼着部位から前記傾斜天面と前記底面の前方部とが画定されているとともに、前記後板部の非貼着部位から前記後面と前記底面の後方部とが画定されている、ことを特徴とする商品ホルダ。
【請求項２】
請求項１に記載の商品ホルダにおいて、
前記前板部において前記貼着された部位と非貼着部位との境目には、前記板紙の短手方向に沿う前側谷折り目が設けられており、前記前板部の前記非貼着部位には、前記板紙の短手方向に沿う前側山折り目が設けられており、
前記後板部の非貼着部位には、前記板紙の短手方向に沿う後側山折り目が設けられており、
前記前側谷折り目が谷折りされるとともに前記前側山折り目と前記後側山折り目とが山折りされることにより、前記前側谷折り目から前記前側山折り目までの領域が前記傾斜天面とされ、前記前側山折り目から前記屈曲起点までの領域が前記底面の前方部とされ、前記後側山折り目から前記屈曲起点までの領域が前記底面の後方部とされ、前記後板部において前記前側谷折り目に対応する位置から前記後側山折り目までの領域が前記後面とされ、
前記傾斜天面の長さ（前記板紙の長手方向に沿う寸法）と前記底面の前方部の長さ（前記板紙の長手方向に沿う寸法）との和が、前記後面の長さ（前記板紙の長手方向に沿う寸法）と前記底面の後方部の長さ（前記板紙の長手方向に沿う寸法）との和に等しく設定されている、ことを特徴とする商品ホルダ。
【請求項３】
請求項１または２に記載の商品ホルダにおいて、
前記傾斜天面において前記前側山折り目寄りの位置には、前記板紙の短手方向に沿う第２の前側山折り目がさらに設けられており、
前記第２の前側山折り目が山折りされることにより当該第２の前側山折り目から前記前側山折り目までの領域が垂壁状の前面とされている、ことを特徴とする商品ホルダ。
【請求項４】
請求項１から３のいずれか１項に記載の商品ホルダにおいて、
前記垂壁板において前記保持枠よりも上側の領域には、前記商品の上部を包み込むように加熱収縮されることにより保持するためのシュリンクフィルムが設けられている、ことを特徴とする商品ホルダ。
【請求項５】
請求項１から４のいずれか１項に記載の商品ホルダにおいて、
前記底面には、前記商品の底面に付記される情報を露呈するための下開口が設けられている、ことを特徴とする商品ホルダ。
【発明の詳細な説明】
【技術分野】
【０００１】
本発明は、一枚の短冊状の板紙から形成される商品ホルダに関する。
【背景技術】
【０００２】
特許文献１には、化粧液などを収容した小瓶やチューブ形状の商品を露呈した状態で保持する商品ホルダが開示されている。
【０００３】
この商品ホルダは、一枚の短冊状の板紙を折り曲げることにより、箱状の商品収納部を形成し、前記板紙の長手方向一端側の差込片を長手方向途中の切り込みに挿入することで、組み立てられるようになっている。なお、前記長手方向一端側を前記長手方向途中に接着することも可能との記載がある。
【０００４】
特許文献２の陳列用具は、一枚のシートを折り曲げることにより、背板部の下部に傾斜部を形成するとともに、背板部の上下方向の途中にコ字状折り曲げ部を形成した構成になっている。なお、前記傾斜部には切欠き穴が設けられており、前記コ字状折り曲げ部には穴部が設けられている。前記傾斜部は、前記背板部に接着されていない。
【０００５】
そして、前記陳列用具は、前記商品の下部を前記傾斜部の切り欠き穴に嵌め入れてから、前記コ字状折り曲げ部を倒すことにより、当該コ字状折り曲げ部の前記穴部を前記商品の上部に嵌め入れて、前記商品を露呈した状態で保持するようになっている。
【０００６】
特許文献３のディスプレイカートンは、一枚のブランクを側面視で二等辺三角形とするように折り曲げられた構成になっている。なお、前面板の自由端と後面板の自由端とは、接着されていない。
【０００７】
そして、前記ディスプレイカートンの前面板と後面板とにそれぞれ設けられている２つの開口部に跨って、前記商品を露呈した状態で保持するようになっている。
【先行技術文献】
【特許文献】
【０００８】
【特許文献１】特許第４６６０９２３号公報
【特許文献２】特許第３４５９３８２号公報
【特許文献３】特許第５８２１３７３号公報
【発明の概要】
【発明が解決しようとする課題】
【０００９】
上記特許文献１の商品ホルダは、折り曲げて箱状の商品収納部を形成してから、その形を保つように差込片を切込みに挿入するようにするか、あるいは前記板紙の長手方向一端側を前記長手方向途中に接着するようにしている。そのため、この商品ホルダの組み立て作業の一部または全部を機械加工化することは困難であり、商品ホルダの組み立てに手間がかかることが懸念される。
【００１０】
また、上記特許文献２の陳列用具は、前記背板部から前記傾斜部と前記コ字状折り曲げ部とを折り曲げてから、前記傾斜部の前記切欠き穴に前記商品の下部を嵌め入れるとともに、前記コ字状折り曲げ部の前記穴部を前記商品の上部に嵌め入れることによって、陳列用具の形を保つとともに自立させるようにしている。
【００１１】
さらに、特許文献３のディスプレイカートンは、前記一枚のブランクを側面視で二等辺三角形とするように折り曲げてから、前記前面板の開口部と前記後面板の開口部とに跨って商品を嵌め入れることによって、当該ディスプレイカートンの形を保つとともに自立させるようにしている。
【００１２】
これら特許文献２，３の場合、前記商品を嵌め入れるまでの間、陳列用具やディスプレイカートン等の形を保つことができないので、それらの組み立て作業と前記商品を嵌め入れるときの作業とを同時に行う必要があるので、それらの作業の一部または全部を機械加工化することは困難であり、商品ホルダの組み立てに手間がかかることが懸念される。
【００１３】
このような事情に鑑み、本発明は、一枚の短冊状の板紙から形成される商品ホルダにおいて、組み立てが容易で、商品を安定して保持できるようにすることを目的としている。
【課題を解決するための手段】
【００１４】
本発明は、一枚の短冊状の板紙から形成される商品ホルダであって、垂壁板の下側に、商品を露呈した状態で保持するための保持枠が前に張り出すように設けられており、前記垂壁板は、前記板紙が長手方向の所定位置を屈曲起点として２枚に折り重ねられるとともに当該折り重ねにより得られる前板部と後板部とがそれらの自由端側の所定部位で貼着されたものとされ、前記保持枠は、前記前板部の非貼着部位と前記後板部の非貼着部位とが互いに引き離されるように複数ヶ所で折り曲げられることにより、少なくとも商品嵌め入れ用の上開口を有する傾斜天面と底面と後面とで囲むように立体化されたものとされ、前記屈曲起点が前記底面に配置されるように、前記前板部の非貼着部位から前記傾斜天面と前記底面の前方部とが画定されているとともに、前記後板部の非貼着部位から前記後面と前記底面の後方部とが画定されている、ことを特徴としている。
【００１５】
なお、前記山折り目（正折り目とも言う）とは、前記板紙の表面つまり組立後の商品ホルダの外面となる面が凸になる折り目のことを意味しており、また、前記谷折り目（逆折り目とも言う）とは、前記とは逆に凹になる折り目のことを意味している。
【００１６】
このような構成の商品ホルダの場合、一枚の短冊状の板紙を２枚に折り重ねるとともに前記前板部と前記後板部とをそれらの自由端側の所定部位で貼着することにより前記垂壁板を形成しておいてから、前記前板部の非貼着部位と前記後板部の非貼着部位とを互いに引き離すように複数ヶ所で折り曲げることにより、前記保持枠を立体化して形成するようにしている。
【００１７】
このように、前記保持枠を立体化する前に貼着作業を行う形態にしているので、当該貼着作業を機械加工化つまり自動化することが可能になって、前記折り曲げ作業のみを人手で行えばよくなる。しかも、前記人手となる折り曲げ作業は比較的容易に行えるようになる。これらの結果として、本発明に係る商品ホルダの生産効率を高めることが可能になる。
【００１８】
また、上記構成の商品ホルダでは、前記垂壁板の下側に前に張り出すように設けられる保持枠に商品の下部を嵌め入れて保持させる形態にしているから、商品が安定して保持されるようになる。
【００１９】
ところで、前記前板部において前記貼着された部位と非貼着部位との境目には、前記板紙の短手方向に沿う前側谷折り目が設けられており、前記前板部の前記非貼着部位には、前記板紙の短手方向に沿う前側山折り目が設けられており、前記後板部の非貼着部位には、前記板紙の短手方向に沿う後側山折り目が設けられており、前記前側谷折り目が谷折りされるとともに前記前側山折り目と前記後側山折り目とが山折りされることにより、前記前側谷折り目から前記前側山折り目までの領域が前記傾斜天面とされ、前記前側山折り目から前記屈曲起点までの領域が前記底面の前方部とされ、前記後側山折り目から前記屈曲起点までの領域が前記底面の後方部とされ、前記後板部において前記前側谷折り目に対応する位置から前記後側山折り目までの領域が前記後面とされ、前記傾斜天面の長さ（前記板紙の長手方向に沿う寸法）と前記底面の前方部の長さ（前記板紙の長手方向に沿う寸法）との和が、前記後面の長さ（前記板紙の長手方向に沿う寸法）と前記底面の後方部の長さ（前記板紙の長手方向に沿う寸法）との和に等しく設定されている、構成とすることができる。
【００２０】
ここでは、前記保持枠を立体化する際の折り曲げ形態を特定している。これにより、折り曲げ作業が比較的容易であることが明らかになる。
【００２１】
また、前記傾斜天面において前記前側山折り目寄りの位置には、前記板紙の短手方向に沿う第２の前側山折り目がさらに設けられており、前記第２の前側山折り目が山折りされることにより当該第２の前側山折り目から前記前側山折り目までの領域が垂壁状の前面とされている、構成とすることが好ましい。
【００２２】
この構成では、前記保持枠に前記垂壁状の前面が設けられることによって、前記商品の下部の嵌め入れ深さを可及的に深くすることが可能になる。これにより、前記商品の保持性が向上する。
【００２３】
また、前記垂壁板において前記保持枠よりも上側の領域には、前記商品の上部を包み込むように加熱収縮されることにより保持するためのシュリンクフィルムが設けられている、構成とすることが好ましい。
【００２４】
この構成では、前記保持枠と前記シュリンクフィルムとによって前記商品の上下２ヶ所が拘束されるようになる。これにより、前記商品の保持安定性が向上する。
【００２５】
また、前記底面には、前記商品の底面に付記される情報を露呈するための下開口が設けられている、構成とすることが好ましい。
【００２６】
この構成では、前記保持枠に前記商品を保持させた状態でも、前記底面に設けてある下開口から当該商品の底面に付記される情報が露呈することになる。これにより、前記保持枠に前記商品を保持させた状態でも、前記商品の情報を目視確認することが可能になる。
【発明の効果】
【００２７】
本発明に係る商品ホルダは、その組み立てが容易で、商品を安定して保持することが可能になる。その結果として、本発明に係る商品ホルダは、比較的安価に形成できて、商品を見た目良く陳列することが可能になる。
【図面の簡単な説明】
【００２８】
【図１】本発明に係る商品ホルダの一実施形態の外観を示す斜視図である。
【図２】図１の商品ホルダに商品を嵌め入れた状態を示す斜視図である。
【図３】図１の商品ホルダを側面から見た図である。
【図４】図１の商品ホルダの板紙を示す平面展開図である。
【図５】図２の商品ホルダの組立初期段階を示す側面図である。
【図６】図５の続きで組立途中段階を示す側面図である。
【図７】図６の続きで組立完了段階を示す側面図である。
【図８】本発明に係る商品ホルダの他の実施形態の外観を示す斜視図である。
【図９】図８の商品ホルダを側面から見た図である。
【図１０】図８の商品ホルダの板紙を示す平面展開図である。
【図１１】図８の商品ホルダの組立初期段階を示す側面図である。
【図１２】図１１の続きで組立途中段階を示す側面図である。
【図１３】図１２の続きで組立完了段階を示す側面図である。
【図１４】本発明に係る商品ホルダのさらに他の実施形態の外観を示す斜視図である。
【図１５】本発明に係る商品ホルダのさらに他の実施形態の外観を示す斜視図である。
【図１６】本発明に係る商品ホルダのさらに他の実施形態の外観を示す斜視図である。
【発明を実施するための形態】
【００２９】
以下、本発明を実施するための最良の実施形態について添付図面を参照して詳細に説明する。
【００３０】
図１から図７に、本発明の一実施形態を示している。図中、１は商品ホルダの全体を示している。
【００３１】
商品ホルダ１は、図４に示すように打ち抜き加工された一枚の短冊状の板紙（コートボール）１００を、折り曲げ作業と貼着作業とを経て形成されるものであって、垂壁板３の下側に商品２を露呈した状態で保持するための保持枠４が前に張り出すように設けられている。
【００３２】
商品２は、例えば縦長円柱形であって、円筒形容器２ａの上部に有底円筒形の蓋２ｂが開閉可能に装着された構成になっている。但し、商品ホルダ１に取り付ける商品２の形状については、特に限定されるものではなく、例えばチューブ形状や、断面が三角形の容器など、任意とすることができる。
【００３３】
垂壁板３は、１枚の短冊状の板紙１００が長手方向（縦方向とも言う）の略中央位置を屈曲起点５として２枚に折り重ねて形成されているとともに、前板部６の自由端から長手方向の所定位置までの所定部位と後板部７の自由端から長手方向の所定位置までの所定部位とが適宜の接着剤等により貼着されており、それ以外の領域は非貼着とされている。
【００３４】
なお、屈曲起点５を「略中央位置」としているのは、屈曲起点５を板紙１００の長手方向の「中央位置」に設定することにより前板部６の自由端と後板部７の自由端とを「ぴったり」に重ねるように貼着する場合と、屈曲起点５を前記「中央位置」から適宜ずらすように設定することにより後板部７を前板部６よりも数ミリ低い位置とするように貼着する場合とを含めるためである。
【００３５】
保持枠４は、２枚に折り重ねられた垂壁板３の非貼着部位、つまり前板部６と後板部７とを貼着していない部位を互いに引き離すように複数ヶ所で適宜に折り曲げることにより、傾斜天面４ａと底面４ｂと前面４ｄと後面４ｃとで囲むように立体化されている。
【００３６】
前板部６において保持枠４の上側の領域には、商品２の上部を包み込むように加熱収縮されることにより保持するためのシュリンクフィルム８が設けられている。
【００３７】
このシュリンクフィルム８は、筒状に形成されており、商品ホルダ１に商品２を取り付ける前に、２枚に折り畳まれたうえで、その片面が垂壁板３の前板部６に貼り付けられている。なお、シュリンクフィルム８の大きさは、保持対象となる商品２の大きさ（高さ、幅）に合わせて適宜設定することが好ましい。
【００３８】
なお、垂壁板３の前板部６および後板部７の外表面や、保持枠４の傾斜天面４ａ、底面４ｂ、前面４ｄならびに後面４ｃの外表面には、商品２の名称、取り扱い説明等の情報を適宜に付記することが可能になっている。
【００３９】
ところで、垂壁板３を２枚に折り重ねるための条件として、前板部６の非貼着部位および後板部７の非貼着部位の各長さ（板紙１００の長手方向に沿う寸法）Ｘ，Ｙ（下記参照）を略等しく設定する必要がある。
【００４０】
そのようにした場合には、前板部６の非貼着部位および後板部７の非貼着部位を互いに引き離すように膨らませて立体化することにより保持枠４を形成するための条件として、屈曲起点５を底面４ｂに配置することにより、底面４ｂを前方部（以下、前方底面部と言う）４ｂ１と後方部（以下、後方底面部と言う）４ｂ２とに分ける必要がある。
【００４１】
このようなことから、前板部６の非貼着部位の長さＸについては、図３に示すように、傾斜天面４ａの長さ（板紙１００の長手方向に沿う寸法）Ｘ１と前面４ｄの長さ（板紙１００の長手方向に沿う寸法）Ｘ２と前方底面部（屈曲起点５から第１の前側山折り目６ｂまでの領域）４ｂ１の長さＸ３との和となるように設定される。
【００４２】
一方、後板部７の非貼着部位の長さＹについては、図３に示すように、後面４ｃの長さ（板紙１００の長手方向に沿う寸法）Ｙ１と後方底面部（屈曲起点５から後側山折り目７ａまでの領域）４ｂ２の長さＹ２との和となるように設定される。
【００４３】
つまり、この実施形態では、Ｘ＝Ｘ１＋Ｘ２＋Ｘ３、Ｙ＝Ｙ１＋Ｙ２に設定して、Ｘ１＋Ｘ２＋Ｘ３＝Ｙ１＋Ｙ２に設定している。なお、この実施形態の商品ホルダ１では、「Ｘ１＋Ｘ２＋Ｘ３＝Ｙ１＋Ｙ２」となるように設定することが最も好ましいが、機械加工上の貼着のズレによって、「Ｘ１＋Ｘ２＋Ｘ３＞Ｙ１＋Ｙ２」または「Ｘ１＋Ｘ２＋Ｘ３＜Ｙ１＋Ｙ２」となっていてもよい。具体的には、前記ズレについては例えば「３ｍｍ以内」であることが好ましい。
【００４４】
そして、前板部６の非貼着部位および後板部７の非貼着部位を互いに引き離すように立体化するときの作業を容易とするために、前板部６において貼着部位と非貼着部位との境目に前側谷折り目６ａが設けられており、前板部６の非貼着部位に第１、第２の前側山折り目６ｂ，６ｃが設けられており、後板部７の非貼着部位に１つの後側山折り目７ａが設けられている。これらの折り目は、すべて板紙１００の短手方向（横方向とも言う）に沿う直線とされており、互いに離隔して平行に設けられている。
【００４５】
保持枠４を立体化する際には、垂壁板３において、前側谷折り目６ａを谷折りするとともに第１、第２の前側山折り目６ｂ，６ｃおよび後側山折り目７ａを山折りしながら、屈曲起点５を平坦に延ばすようにする。
【００４６】
前側谷折り目６ａから第２の前側山折り目６ｃまでの傾斜領域が傾斜天面４ａとなる。この傾斜天面４ａの横方向中央部位には、商品２を嵌め入れるための上開口４ｅが設けられている。
【００４７】
第１の前側山折り目６ｂと後側山折り目７ａとの間の領域が底面４ｂとなる。この底面４ｂには、商品２の底面に付記される情報（不図示）を露呈するための下開口４ｆが設けられている。この下開口４ｆの大きさは、保持される商品２の大きさ（幅）に合わせて適宜設定することが好ましい。また、底面４ｂには、それを商品ホルダ１の配置台の上に底面４ｂを浮かすために、脚片１０が設けられている。この脚片１０は、第１の前側山折り目６ｂと後側山折り目７ａとの近傍に、それぞれ２つのコ字状の切り込み９が板紙１００の短手方向に所定間隔をおいて設けられている。
【００４８】
このコ字状の切り込み９は、底面４ｂの前後方向に対称に形成されている。そして、各切り込み９の一端および他端が底面４ｂと第１の前側山折り目６ｂと後側山折り目７ａとの上に位置するように設定されており、各切り込み９の中間直線部分が底面４ｂ内に入り込んだ位置に配置されて第１の前側山折り目６ｂおよび後側山折り目７ａと平行になるように形成されている。この切り込み９に囲まれる部位が、前記した脚片１０となる。
【００４９】
後板部７において前側谷折り目６ａに対応する位置から後側山折り目７ａまでの領域が後面４ｃとなる。
【００５０】
第１の前側山折り目６ｂから第２の前側山折り目６ｃまでの領域が前面４ｄとなる。この前面４ｄは、垂壁面とされている。
【００５１】
次に、図４〜図７を参照して、上記商品ホルダ１の組立手順を説明する。
【００５２】
まず、図４に示すように打ち抜き加工された一枚の短冊状の板紙１００を用意し、それの長手方向に略二分する位置を屈曲起点５として２枚に折り重ねることにより前板部６と後板部７とを得る。
【００５３】
なお、前板部６には、前側谷折り目６ａと、第１、第２の前側山折り目６ｂ，６ｃと、上開口４ｅとが設けられており、また、後板部７には、後側山折り目７ａと、下開口４ｆとが設けられている。
【００５４】
そこで、前記重ね合わせた前板部６と後板部７とにおいて各自由端側から屈曲起点５寄りに向かう所定位置までの部位を適宜の接着剤で貼着する。この貼着作業は、機械加工で行うことが可能になる。
【００５５】
この後、前側谷折り目６ａを谷折りするとともに、第１、第２の前側山折り目６ｂ，６ｃと、後側山折り目７ａとをそれぞれ山折りすることにより、垂壁板３における非貼着部位を互いに引き離すように膨らませながら、屈曲起点５を平坦に延ばすようにする。
【００５６】
これにより、第１の前側山折り目６ｂと後側山折り目７ａとに設けていたコ字状の切り込み９から脚片１０が起こされるようになって、底面４ｂから外側または下側に飛び出す状態になる。
【００５７】
なお、この実施形態では、第１の前側山折り目６ｂと後側山折り目７ａとが略９０度とされ、第２の前側山折り目６ｃが鈍角（例えば１２０〜１５０度）とされ、前側谷折り目６ａが鋭角（例えば３０〜６０度）とされている。
【００５８】
上述のようにして組み立てた商品ホルダ１に商品２を取り付ける手順を説明する。
【００５９】
まず、商品２をその下部からシュリンクフィルム８内に差し入れた後、商品２の下部を立体的な保持枠４に嵌め入れ、シュリンクフィルム８を加熱収縮させることによりシュリンクフィルム８を商品２の上部に密着させるようにすれば、商品ホルダ１に商品２をがたつくことなく安定した姿勢で非分離に保持させることができるようになる。
【００６０】
このように商品２を保持させた商品ホルダ１は、店頭の棚上等に据え置く形態で展示することができる。その他には、図示していないが、垂壁板３の上端に貫通孔を設ければ、商品ホルダ１を吊り下げる形態にすることができるので、商品２を見やすく展示することが可能になる。
【００６１】
以上説明したように、本発明を適用した実施形態の商品ホルダ１は、一枚の短冊状の板紙１００を２枚に折り重ねるとともに前板部６と後板部７とを所定部位で貼着することにより垂壁板３を形成しておいてから、前板部６の非貼着部位と後板部７の非貼着部位とを互いに引き離すように複数ヶ所で折り曲げることにより、保持枠４を立体化して形成するようにしている。
【００６２】
このように、保持枠４を折り曲げて立体化する前に貼着作業を行う形態にしているので、当該貼着作業を機械加工化つまり自動化することが可能になって、前記折り曲げ作業のみを人手で行えばよくなる。しかも、前記人手となる折り曲げ作業は比較的容易に行えるようになる。これらの結果として、本発明に係る商品ホルダ１の生産効率を高めることが可能になるなど、安価に製作することが可能になる。
【００６３】
また、保持枠４に垂壁状の前面４ｄを設けているので、商品２の底部の嵌め入れ深さを可及的に深くすることが可能になるので、商品２の保持性が向上している。
【００６４】
また、保持枠４とシュリンクフィルム８とによって商品２の上下２ヶ所を拘束する形態にしているので、商品２の保持安定性が向上している。
【００６５】
また、底面４ｂに下開口４ｆを設けているので、保持枠４に商品２を保持させた状態でも、当該商品２の底面に付記される情報が下開口４ｆから露呈することになる。これにより、保持枠４に商品２を保持させた状態でも、商品２の情報を目視確認することが可能になる。
【００６６】
なお、本発明は、上記実施形態のみに限定されるものではなく、特許請求の範囲内および当該範囲と均等の範囲内で適宜に変更することが可能である。
【００６７】
（１）例えば図８から図１３に本発明の他の実施形態を示している。この実施形態の商品ホルダ１は、前面４ｄを排除し、傾斜天面４ａを底面４ｂに直接的に連接させる形態にしている。この傾斜天面４ａは、直線的に傾斜する形状になっていて、保持枠４は、側面視でほぼ三角形になっている。
【００６８】
この場合、前板部６の非貼着部位には、前側谷折り目６ａと第１の前側山折り目６ｂとが設けられていて、第２の前側山折り目６ｃが設けられていない。
【００６９】
そのため、図１１〜図１３に示すように、商品ホルダ１を組み立てる際には、前側谷折り目６ａを谷折りするとともに、第１の前側山折り目６ｂと後側山折り目７ａとを山折りするだけで事足りるから、上記実施形態に比べるとさらに容易な作業で保持枠４を立体化することが可能になる。
【００７０】
（２）例えば図１４に本発明のさらに他の実施形態を示している。この実施形態の商品ホルダ１は、上記（１）で示した実施形態の傾斜天面４ａが、外向きに張り出すように湾曲して傾斜する形状とされている。
【００７１】
この実施形態の商品ホルダ１の場合には、保持枠４の上開口４ｅの内周縁に対する商品２の下部の接触長さが上記（１）で示した実施形態に比べると長くなるので、商品２の保持安定性が向上する。
【００７２】
（３）上記実施形態では、前板部６と後板部７とを略同じ長さに設定した場合を例に挙げているが、本発明はこれのみに限定されるものではない。
【００７３】
例えば図１５に示すように、前板部６を後板部７よりも短くしたり、あるいは例えば図１６に示すように、後板部７を前板部６よりも短くしたり、することが可能である。このような場合においても、上記実施形態と遜色ない効果が得られる。
【００７４】
（４）上記実施形態では、傾斜天面４ａの幅方向中間部位に上開口４ｅおよび下開口４ｆを設置した場合を例に挙げているが、本発明はこれのみに限定されるものではない。
【００７５】
例えば図示していないが、上開口４ｅおよび下開口４ｆは、傾斜天面４ａの幅方向いずれか一方側に片寄せて設置することが可能である。
【産業上の利用可能性】
【００７６】
本発明は、一枚の短冊状の板紙から形成される商品ホルダに好適に利用することが可能である。
【符号の説明】
【００７７】
１  商品ホルダ
２  商品
３  垂壁板
４  保持枠
４ａ  傾斜天面
４ｂ  底面
４ｂ１  前方底面部
４ｂ２  後方底面部
４ｃ  後面
４ｄ  前面
４ｅ  上開口
４ｆ  下開口
５  屈曲起点
６  前板部
６ａ  前側谷折り目
６ｂ  第１の前側山折り目
６ｃ  第２の前側山折り目
７  後板部
７ａ  後側山折り目
８  シュリンクフィルム
９  切り込み
１０  脚片
１００  板紙
Ｘ  前板部６の非貼着部位の長さ
Ｘ１  傾斜天面４ａの長さ
Ｘ２  前面４ｄの長さ
Ｘ３  前方底面部４ｂ１の長さ
Ｙ  後板部７の非貼着部位の長さ
Ｙ１  後面４ｃの長さ
Ｙ２  後方底面部４ｂ２の長さ
【図１】
2018099268.tif 000003
【図２】
2018099268.tif 000004
【図３】
2018099268.tif 000005
【図４】
2018099268.tif 000006
【図５】
2018099268.tif 000007
【図６】
2018099268.tif 000008
【図７】
2018099268.tif 000009
【図８】
2018099268.tif 000010
【図９】
2018099268.tif 000011
【図１０】
2018099268.tif 000012
【図１１】
2018099268.tif 000013
【図１２】
2018099268.tif 000014
【図１３】
2018099268.tif 000015
【図１４】
2018099268.tif 000016
【図１５】
2018099268.tif 000017
【図１６】
2018099268.tif 000018